(57)【要約】【課題】小型の定格電力の小さなＡＣアダプタでも電子機器を動作させることのできる電子機器および電子機器の電力制御方式法を提供することを目的とする。【解決手段】電子機器２本体に電源供給を行うとともに、電流検出回路１２と定格電流値および検出電流値情報が記憶された情報記憶部１３とを有するＡＣアダプタ１と、電子機器２本体に内蔵され、ＡＣアダプタ１から情報記憶部１３内の情報を読み取るとともに、ＡＣアダプタ１から電子機器２本体に電源供給中の電流値が定格電流値から余裕を考慮した値を越えないように、電子機器２本体内の電力消費量を低減させるように制御するマイコン２４を備える。【選択図】  図１
2004215413.tif 000002
【特許請求の範囲】
【請求項１】
電子機器本体に電源供給を行うとともに、電流検出回路と定格電流値および検出電流値情報が記憶された情報記憶部とを有するＡＣアダプタと、前記電子機器本体に内蔵され、前記ＡＣアダプタから前記情報記憶部内の情報を読み取るとともに、前記ＡＣアダプタから前記電子機器本体に電源供給中の電流値が前記定格電流値から余裕を考慮した値を越えないように、前記電子機器本体内の電力消費量を低減させるように制御するマイコンとを備えた電子機器。
【請求項２】
電子機器本体に内蔵されたマイコンが、前記電子機器本体に電源供給を行うＡＣアダプタの定格電流値および検出された電流値を読み取り、前記検出電流値が前記定格電流値から余裕を考慮した値を越えないように、前記電子機器本体内の電力消費量を低減させるように制御する電子機器の電力制御方法。
【請求項３】
マイコンは、ＡＣアダプタの定格電流値と検出された電流値を比較し、前記検出された電流値が前記定格電流値から余裕を考慮した値より小さい場合は、電子機器本体内のＣＰＵの動作を続行させ、検出された電流値が前記定格電流値から余裕を考慮した値を越える場合は前記ＣＰＵの処理速度を低下させ、前記検出された電流値が前記定格電流値から余裕を考慮した値を下回るように制御する請求項２記載の電子機器の電源制御方法。
【請求項４】
マイコンはＡＣアダプタの定格電流値と検出された電流値を比較し、前記検出された電流値が前記定格電流値から余裕を考慮した値より小さい場合は、電子機器本体内の液晶表示部の動作を続行させ、前記検出された電流値が前記定格電流値から余裕を考慮した値を越える場合は前記液晶表示部の液晶輝度を低下させ、前記検出された電流値が前記定格電流値から余裕を考慮した値を下回るように制御する請求項２記載の電子機器の電源制御方法。
【請求項５】
電子機器が動作した時の最小消費電流値をマイコンが記憶しておき、マイコンがＡＣアダプタの定格電流値と電子機器の前記最小低消費電流値とを比較し、前記最小消費電流値が前記ＡＣアダプタの前記定格電流値を超える場合は、前記マイコンが電子機器を動作させないように制御する請求項２記載の電子機器の電源制御方法。
【発明の詳細な説明】
【０００１】
【発明の属する技術分野】
本発明はＡＣアダプタを備えた電子機器および電子機器の電力制御方法に関するものである。
【０００２】
【従来の技術】
従来、情報処理装置などのＡＣアダプタを備えた電子機器の電力制御方法は、電子機器本体内のマイコンがＡＣアダプタ内の情報を読み出し、ＡＣアダプタの定格電圧値が電子機器の入力電圧として適性かどうか判断し、適正でない場合は、警告表示を行い、適正な場合は電子機器本体内のバッテリの充電を可とするなどの制御を行っている（例えば特許文献１参照）。
【０００３】
【特許文献１】
特開２００１−２２４１３１号公報
【０００４】
【発明が解決しようとする課題】
近年、情報処理装置などの電子機器は性能向上のため消費電力が増大している。それに伴い、電子機器へ電源供給するＡＣアダプタも大電力を供給する為に大型化している。しかし、ノートパソコン等の持ち運びを目的としている電子機器には小型で軽量のＡＣアダプタが必要となる。しかし小型のＡＣアダプタでは定格電力値が小さく、消費電力の大きな電子機器を動作させるのは困難である。
【０００５】
本発明は小型の定格電力の小さなＡＣアダプタでも動作させることのできる電子機器および電子機器の電力制御方法を提供することを目的としている。
【０００６】
【課題を解決するための手段】
この課題を解決するために本発明は、電子機器に電源供給を行うＡＣアダプタであって、電流検出回路と定格電流値および検出電流値の情報を記憶している情報記憶部を有しているＡＣアダプタに電子機器本体内のマイコンへ情報を伝える機能を持たせる。電子機器本体内のマイコンは上記情報を基にＡＣアダプタから電源供給中の電流値が定格電流値を越えないように液晶輝度やＣＰＵ処理速度を低下させ、電子機器本体の消費電力を低減させる。
【０００７】
これにより、小型の定格電力の小さなＡＣアダプタでも電子機器を動作させることが可能となる。
【０００８】
【発明の実施の形態】
本発明の請求項１に記載の発明は、電子機器に電源供給を行うとともに、電流検出回路と定格電流値および検出電流値情報が記憶された情報記憶部とを有するＡＣアダプタと、前記電子機器本体に内蔵され、前記ＡＣアダプタから前記情報記憶部内の情報を読み取るとともに、前記ＡＣアダプタから前記電子機器に電源供給中の電流値が前記定格電流値から余裕を考慮した値を越えないように、前記電子機器本体内の電力消費量を低減させるように制御するマイコンを備えた電子機器であり、小型で定格電力の小さなＡＣアダプタを接続した場合でも電子機器を動作させることができる。
【０００９】
請求項２に記載の発明は電子機器本体に内蔵されたマイコンが、前記電子機器本体に電源供給を行うＡＣアダプタの定格電流値および検出された電流値を読み取り、前記検出電流値が前記定格電流値から余裕を考慮した値を越えないように、前記電子機器本体内の電力消費量を低減させるように制御する電子機器の電力制御方法であり、小型で定格電力の小さなＡＣアダプタでも電子機器を動作させることができる。
【００１０】
請求項３に記載の発明は、請求項２記載の電子機器の電源制御方法において、マイコンは、ＡＣアダプタの定格電流値と検出された電流値を比較し、前記検出された電流値が前記定格電流値から余裕を考慮した値より小さい場合は、電子機器本体内のＣＰＵの動作を続行させ、検出された電流値が前記定格電流値から余裕を考慮した値を越える場合は前記ＣＰＵの処理速度を低下させ、前記検出された電流値が前記定格電流値から余裕を考慮した値を下回るように制御するものであり、小型で定格電力の小さなＡＣアダプタを接続した場合でもＣＰＵの処理速度を低下させて電子機器を動作させることができる。
【００１１】
請求項４に記載の発明は、請求項２記載の電子機器の電源制御方法において、マイコンはＡＣアダプタの定格電流値と検出された電流値を比較し、前記検出された電流値が前記定格電流値から余裕を考慮した値より小さい場合は、電子機器本体内の液晶表示部の動作を続行させ、前記検出された電流値が前記定格電流値から余裕を考慮した値を越える場合は前記液晶表示部の液晶輝度を低下させ、前記検出された電流値が前記定格電流値から余裕を考慮した値を下回るように制御するものであり、小型で定格電力の小さなＡＣアダプタを接続した場合でも液晶表示部の液晶輝度を低下させて電子機器を動作させることができる。
【００１２】
請求項５に記載の発明は、請求項２記載の電子機器の電源制御方法において、電子機器が動作した時の最小消費電流値をマイコンが記憶しておき、マイコンがＡＣアダプタの定格電流値と電子機器の前記最小低消費電流値とを比較し、前記最小消費電流値が前記ＡＣアダプタの前記定格電流値を超える場合は、前記マイコンが電子機器を動作させないように制御するものであり、電子機器の消費電流が明らかにＡＣアダプタの定格電流値を超える場合は電子機器を動作させないことでＡＣアダプタに規定以上の電流が流れないようにするという作用を有する。
【００１３】
以下、本発明の実施の形態について、図１と図２を用いて説明する。
【００１４】
（実施の形態１）
図１は本発明の一実施の形態の電子機器の構成を示すブロック図、図２は電源制御の流れを示すフロー図である。図１において、１はＡＣアダプタで、コネクタ（図示せず）を介して電子機器２と接続される。
【００１５】
ＡＣアダプタ１は、ＡＣ（交流）商用電源をＤＣ（直流）電源に変換するＡＣ／ＤＣ変換部１１と、ＤＣ電源から電源供給を行っている時に流れる電流値を検出する電流検出回路１２と、電流検出回路１２によって検出された電流値とＡＣアダプタ１から出力するＤＣ電源の定格電流値を格納してある情報記憶部１３とから構成されている。
【００１６】
電子機器２は、ＡＣアダプタ１からＤＣ電源を供給されてＤＣ電圧を生成、出力するＤＣ／ＤＣ変換部２１と、ＣＰＵ２２と、液晶表示部２３と、上記ＡＣアダプタ１との間で情報通信機能を持つマイコン２４とを備えている。
【００１７】
以上のように構成された本実施の形態の電子機器の電源制御方法について、図２のフロー図に基づいてその動作を説明する。
【００１８】
図２において、電子機器２にＡＣアダプタ１を接続すると、電子機器２本体内にあるマイコン２４はＡＣアダプタ１内の情報記憶部１３から定格電流値を読み取る。マイコン２４に記憶されている電子機器２の最小消費電流値と上記定格電流値を比較し、最小消費電流値が定格電流値を超える場合は、電子機器２を動作させないようマイコン２４が制御する。最小消費電流値が定格電流値を超えない場合は、電子機器２を動作可能とするようにマイコン２４が制御する。電子機器２が動作した時に電子機器２に流れ込む電流値は徐々に増加していく。ＡＣアダプタ１の電流検出回路１２では電子機器２に流れ込む電流値を検出し、情報記憶部１３へ格納する。マイコン２４はＡＣアダプタ１内の情報記憶部１３から電流検出回路１２によって検出された電流値を読み込む。この時マイコン２４は定格電流値と検出された電流値を比較し、検出された電流値が定格電流値から余裕を考慮した値より小さい場合は、ＣＰＵ２２や液晶表示部２３の動作を続行させる。検出された電流値が定格電流値から余裕を考慮した値を越える場合はマイコン２４がＣＰＵ２２の処理速度を低下させ、検出された電流値が定格電流値を下回るように制御する。それでもなお、検出された電流値が定格電流値から余裕を考慮した値を越える場合は、マイコン２４が液晶表示部２３の液晶輝度を低下させ、検出された電流値が定格電流値から余裕を考慮した値を下回るように制御する。このようにして小型で定格電流の小さなＡＣアダプタでも電子機器を使用可能とすることができる。
【００１９】
なお、本実施の形態では、検出された電流値が定格電流値から余裕を考慮した値より小さい場合、まずＣＰＵの速度を低下させ、次に液晶表示部の液晶輝度を低下させたが、先に液晶表示部の液晶輝度を低下させ、次にＣＰＵの速度を低下させるようにしてもよい。
【００２０】
また、ＣＰＵや液晶表示部に限らず、消費電力を低下させても動作可能な機能部であれば同様にして実施することができる。
【００２１】
また、検出された電流値の定格電流値に対する余裕値は、ＡＣアダプタの性能や、電子機器本体内の他の機能部の消費電力、電子機器の外部温度などの環境条件などを考慮して適宜設定すればよい。
【００２２】
【発明の効果】
以上のように本発明によれば、持ち運びに便利な小型のＡＣアダプタを用いて電子機器を動作させることができる、という有利な効果が得られる。
【図面の簡単な説明】
【図１】本発明の一実施の形態による電子機器の構成を示すブロック図
【図２】本発明の一実施の形態による電子機器の電源制御の流れを示すフロー図
【符号の説明】
１  ＡＣアダプタ
１１  ＡＣ／ＤＣ変換部
１２  電流検出回路
１３  情報記憶部
２  電子機器
２１  ＤＣ／ＤＣ変換部
２２  ＣＰＵ
２３  液晶表示部
２４  マイコン
【図１】
2004215413.tif 000003
【図２】
2004215413.tif 000004